(57)【要約】【課題】バッテリーパックの着脱を容易、確実にし、操作手順が少なく、電子機器の小型、軽量化にも寄与するバッテリー装置等を提供する。【解決手段】電子機器１００等の機器本体３に対して着脱自在に設けられるバッテリーパック３１を備えており、バッテリーパック３１をバッテリーが直接内蔵されたバッテリー本体４６と、バッテリー本体４６の前面に設けられ、バッテリー本体４６の出し入れの際、確実に摘むことができ、バッテリー本体４６と共に、その出し入れ方向に一体に移動できる操作フラップ４７とを備える構成とした。また操作フラップ４７を格納姿勢と操作姿勢の間で回動し得るように構成した。【選択図】図３
2006059662.tif 000002
【特許請求の範囲】
【請求項１】
電子機器等の機器本体に対して着脱自在に設けられるバッテリーパックであって、
バッテリーが直接内蔵されたバッテリー本体と、該バッテリー本体の前面に設けられ、バッテリー本体の出し入れの際に摘むことができ、バッテリー本体と共に、その出し入れ方向に一体に移動できる操作フラップとを備えていることを特徴とするバッテリーパック。
【請求項２】
請求項１において、前記操作フラップは、当該バッテリーパックを機器本体に装着した状態では、前面への突出量が最も小さくなる格納姿勢となり、それ以外の状態では、前面への突出量が大きくなって摘み易くなる操作姿勢に移行し得るように構成されていることを特徴とするバッテリーパック。
【請求項３】
請求項２において、前記操作フラップは、バッテリー本体の前面下部に設けられる回動支点を中心として、バッテリー本体の前面を覆う垂直な格納姿勢と、前方に水平に張り出した操作姿勢との間で回動し得るように構成されていることを特徴とするバッテリーパック。
【請求項４】
電子機器等の機器本体に対して固定状態で設けられるバッテリーホルダと、該バッテリーホルダに対して着脱自在に設けられるバッテリーパックとを備えたバッテリー装置であって、
前記バッテリーパックは請求項１〜３のいずれか１項に記載されたバッテリーパックであることを特徴とするバッテリー装置。
【請求項５】
請求項４において、バッテリーホルダと、バッテリーパックとの間には、装着したバッテリーパックの前方への飛び出しを防止するロック機構が設けられていて、当該ロック機構は、操作フラップを格納姿勢から操作姿勢に移行することによって、ロック状態が解除されるように構成されていることを特徴とするバッテリー装置。
【請求項６】
機器本体に対してバッテリーパックが着脱自在である電子機器であって、
前記バッテリーパックは請求項１〜３のいずれか１項に記載されたバッテリーパックであることを特徴とする電子機器。
【請求項７】
バッテリー装置を有する電子機器であって、
前記バッテリー装置は請求項４又は５に記載されたバッテリー装置であることを特徴とする電子機器。
【請求項８】
請求項６又は７において、前記操作フラップの近傍には、操作フラップの位置を検出する位置センサが設けられており、該位置センサによって操作フラップが操作姿勢に移行し、バッテリーパックが取り出されるおそれがあると判断された場合には、未然にメモリ保護回路が働くように設定したことを特徴とする電子機器。
【請求項９】
液体噴射ヘッドから被噴射媒体に液体を噴射し、バッテリー装置を有する液体噴射装置であって、
前記バッテリー装置は請求項４又は５に記載されたバッテリー装置であることを特徴とする液体噴射装置。
【発明の詳細な説明】
【技術分野】
【０００１】
本発明は、電子機器等の機器本体に対して着脱自在に設けられるバッテリーパック、該バッテリーパックを備えたバッテリー装置及び該バッテリー装置を有する記録装置等の電子機器に関する。  
更に、本発明はインク等の液体をそのヘッドから吐出（噴射）して被記録材（被液体噴射材）に記録を実行する（液体を付着する）インクジェット式記録装置などの液体噴射装置及び該液体噴射装置において設けられるバッテリー装置に関するものである。
【０００２】
ここで電子機器とは、一般家庭に供給されている１００Ｖ交流電源程度のいわゆる弱電源によって機器本体内に内蔵されている電子回路を作動させて所望の動作を実行し得る機械、装置、器具等を意味する。特に本発明では、数１０Ｖ以下の直流バッテリー電源によっても所望の動作を実行し得るように構成された微弱電源対応の電子機器、具体的には、携帯性を備えたノート型のパーソナルコンピューター、携帯電話、ラジオ付カセットテープレコーダー、光ディスクプレーヤー、デジタルカメラ、デジタルビデオカメラあるいは小型のインクジェットプリンタ等の電子機器を対象としている。
【０００３】
また液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
電子機器の小型、軽量化の動きは、ポータブルタイプのカセットテープレコーダー等に始まり、ノート型のパーソナルコンピューター、そして近時急速に普及を見せている多機能の携帯電話に至るまで実に数多くの商品に及んでいる。またこれらの商品は特定の場所に設置して使用することはほとんどなく、その多くは移動中において、あるいは種々な場所に持ち運んで使用されている。
【０００６】
従って、これらの電子機器には１００Ｖ交流電源用の電源ジャックの他に、あるいは該電源ジャックを排除して乾電池や充電式の蓄電池等をバッテリーとする着脱式のバッテリーパックが使用されている。しかし商品の小型、軽量化を優先させたため、バッテリーパックの着脱に困難を伴ったり、所望の剛性が得られない電子機器も少なくない。
【０００７】
この点について、電子機器の一例としてポータブルタイプのインクジェットプリンタを採り上げて説明すると、従来は下記特許文献１、あるいは図６に示すように、バッテリーパック１０１を取り出す場合にバッテリーパック１０１に設けた突起１０２を利用していた。
【０００８】
この場合、図６に示すようなロック爪１０３が設けられている場合には、最初にロック解除ボタン１０４を押してロック爪１０３を下方に押し下げてロックを解除する。そして突起１０２に爪を引っ掛けてバッテリーパック１０１を手前に少し引き出し、更にバッテリーパック１０１をつかみ直して、取り出すというように多くの操作手順を必要としていた。また、小さな突起１０２に爪を引っ掛けて引き出すという作業は困難を伴い、小さな突起１０２に集中して力が作用することもあって、突起１０２の破損等を招くおそれもあった。
【０００９】
この他、電子機器には、バッテリーパックの取り出しを容易にするために機器本体側に付勢手段を備えるものが存在する。しかし、付勢手段によってバッテリーパックは取り出し方向に常時付勢されている状態にあるため、バッテリーパックの飛び出しを防止するロック機構等を徐々に変形させ、所望のロック作用が得られず、バッテリーパックを飛び出させてしまうという事態を招くおそれがある。
【００１０】
更に電源ＯＮの状態でバッテリーパックを不用意に取り出した場合には、メモリに記憶されたデータが破損したり、その他のメモリ損失等が発生する場合がある。下記特許文献２は、このような事態を防止するため、同形状のバッテリーパックを２つ設け、更に係止部材を設けることによって同時に２つのバッテリーパックを抜き挿しできないようにして、バッテリー交換等に伴うメモリ損失等のトラブルを防止している。
【００１１】
しかし、バッテリーパックを複数設けることは、電子機器の小型、軽量化を図る動きと逆向するものであるから好ましくない。そこで単一のバッテリーパックを使用した場合でも、上記不用意なバッテリーパックの取り出しに伴うメモリ損失等の発生を防止できる何らかの対策が求められていた。
【００１２】
【特許文献１】特開２００２−１９２２９号公報
【特許文献２】特開平１１−３５５９７６号公報
【発明の開示】
【発明が解決しようとする課題】
【００１３】
そこで本発明は、このような背景技術及び背景技術が抱える問題点を踏まえてなされたものであって、バッテリーパックの着脱作業を容易、確実にし、しかも操作手順が少なくて済み、不用意にバッテリーパックを取り出そうとしても未然にメモリが保護される電子機器の小型、軽量化にも寄与するバッテリー装置及び該バッテリー装置を備えた電子機器並びに記録装置等を提供することを課題とするものである。
【課題を解決するための手段】
【００１４】
上記課題を解決するために、本発明の第１の態様は、電子機器等の機器本体に対して着脱自在に設けられるバッテリーパックであって、バッテリーが直接内蔵されたバッテリー本体と、該バッテリー本体の前面に設けられ、バッテリー本体の出し入れの際に摘むことができ、バッテリー本体と共に、その出し入れ方向に一体に移動できる操作フラップとを備えていることを特徴とする。
【００１５】
本発明の第１の態様によれば、バッテリー本体の形状がつかみ難い形状であっても、確実に摘むことのできる操作フラップを使用することによってバッテリーパックの電子機器等への着脱作業を容易、確実に行うことができる。また、操作フラップを使用することにより、従来使用されていた突起のように力の集中は生ぜず、剛性も高められているから操作フラップの破損等のおそれはほとんど生じない。
【００１６】
本発明の第２の態様に係るバッテリーパックは、第１の態様において、前記操作フラップは、当該バッテリーパックを機器本体に装着した状態では、前面への突出量が最も小さくなる格納姿勢となり、それ以外の状態では、前面への突出量が大きくなって摘み易くなる操作姿勢に移行し得るように構成されていることを特徴とするものである。  
本発明の第２の態様によれば、操作フラップを格納姿勢に移行した場合には、電子機器等の機器本体内に格納された状態になるから、電子機器等の小型化及び美観の向上に寄与する。一方、操作フラップを操作姿勢に移行した場合には、操作フラップを容易、確実に摘めるようになるから、バッテリーパックの着脱作業も容易、確実に行えるようになる。
【００１７】
本発明の第３の態様に係るバッテリーパックは、第２の態様において、前記操作フラップは、バッテリー本体の前面下部に設けられる回動支点を中心として、バッテリー本体の前面を覆う垂直な格納姿勢と、前方に水平に張り出した操作姿勢との間で回動し得るように構成されていることを特徴とするものである。  
本発明の第３の態様によれば、操作フラップをバッテリー本体に対して回動自在に接続するという極めて簡単な構成によって操作フラップを格納姿勢及び操作姿勢に移行することが可能となる。また操作フラップを回動式としたことによりバッテリー本体内に操作フラップの格納スペース等を設ける必要もない。
【００１８】
本発明の第４の態様に係るバッテリー装置は、電子機器等の機器本体に対して固定状態で設けられるバッテリーホルダと、該バッテリーホルダに対して着脱自在に設けられるバッテリーパックとを備えたバッテリー装置であって、前記バッテリーパックは前記第１の態様乃至第３の態様のいずれかに記載されたバッテリーパックであることを特徴とする。  
本発明の第４の態様によれば、バッテリーホルダに対して着脱自在に設けられるバッテリーパックを備えたバッテリー装置において、前記第１の態様乃至第３の態様の作用効果が得られる。
【００１９】
本発明の第５の態様に係るバッテリー装置は、第４の態様において、バッテリーホルダと、バッテリーパックとの間には、装着したバッテリーパックの前方への飛び出しを防止するロック機構が設けられていて、当該ロック機構は、操作フラップを格納姿勢から操作姿勢に移行することによって、ロック状態が解除されるように構成されていることを特徴とするものである。
【００２０】
本発明の第５の態様によれば、ロック機構によるロック作用によって不慮のバッテリーパックの飛び出しが防止されている。またバッテリーパックを前方に付勢する付勢手段が設けられていないから、ロック機構のロック作用の低下は生じない。尚、本発明では操作フラップを設けたことによってバッテリーパックの引き出しは付勢手段の付勢力を借りなくても容易に行われる。更にロック機構は操作フラップを操作姿勢に移行すると同時に解除されるから、バッテリーパック取り出し時の操作手順の簡略化にも寄与している。
【００２１】
本発明の第６の態様に係る電子機器は、機器本体に対してバッテリーパックが着脱自在である電子機器であって、前記バッテリーパックは第１の態様乃至第３の態様のいずれかに記載されたバッテリーパックであることを特徴とする。  
本発明の第６の態様によれば、機器本体に対してバッテリーパックが着脱自在である電子機器において、バッテリーパックの着脱作業が容易、確実に行え、操作手順が少なくて済み、小型、軽量化にも寄与する電子機器を提供することが可能となる。
【００２２】
本発明の第７の態様に係る電子機器は、バッテリー装置を有する電子機器であって、前記バッテリー装置は前記第４の態様又は第５の態様に記載されたバッテリー装置であることを特徴とする。  
本発明の第７の態様によれば、バッテリー装置を有する電子機器において、バッテリーパックの着脱作業が容易、確実に行え、操作手順が少なくて済み、小型、軽量化にも寄与する電子機器を提供することが可能となる。
【００２３】
本発明の第８の態様に係る電子機器は、第６の態様又は第７の態様において、前記操作フラップの近傍には、操作フラップの位置を検出する位置センサが設けられており、該位置センサによって操作フラップが操作姿勢に移行し、バッテリーパックが取り出されるおそれがあると判断された場合には、未然にメモリ保護回路が働くように設定したこと特徴とするものである。  
本発明の第８の態様によれば、電源ＯＮ状態のまま不用意にバッテリーパックを取り出そうとしても、操作フラップを操作姿勢に移行した時点でメモリ保護回路が働くから、不用意なバッテリーパックの取り出しに起因するメモリ損失等は生じない。
【００２４】
本発明の第９の態様に係る液体噴射装置は、液体噴射ヘッドから被噴射媒体に液体を噴射し、バッテリー装置を有する液体噴射装置であって、前記バッテリー装置は前記第４の態様又は第５の態様に記載されたバッテリー装置であることを特徴とするものである。
【発明を実施するための最良の形態】
【００２５】
以下、本願発明に係るバッテリー装置及び該バッテリー装置を備えた電子機器、電子機器の一例である液体噴射装置、液体噴射装置の一例である記録装置について説明する。最初に電子機器、液体噴射装置の一例である記録装置を実施するための最良の形態としてインクジェットプリンタを採り上げて、その全体構成の概略を図面に基づいて説明する。
【００２６】
図１は、インクジェットプリンタの外観を示す斜視図、図２はインクジェットプリンタの概略を示す側断面図である。図示のインクジェットプリンタ１００は、ポータブルタイプの小型のインクジェットプリンタであり、上面に操作パネル１１、前面中央上部に排出用スタッカ５０、側面に移動時に使用する手提げ用の図示しない柄の端部を取り付けるための係止部４、そして背面に開閉式の被液体噴射材積畳部の一例である給送用トレイ５を含んだ自動給送装置２を備えている。
【００２７】
また、インクジェットプリンタ１００には、被液体噴射材の一例である被記録材（以下単に用紙ともいう。）Ｐに記録を実行する液体噴射実行手段の一例である記録実行手段の主たる構成要素として、主走査方向Ｘに往復可能にキャリッジガイド軸１２によって軸支されたキャリッジ１０が設けられている。そして、該キャリッジ１０には、用紙Ｐ等に液体の一例であるインクを吐出（噴射）して記録を行なう液体噴射ヘッドの一例である記録ヘッド１３が搭載されている。またキャリッジ１０には、液体カートリッジの一例であるインクカートリッジＣが装着されている。
【００２８】
記録ヘッド１３の下方には、記録ヘッド１３と対向して記録ヘッド１３のヘッド面と用紙Ｐ等との間のギャップＰＧを規定するプラテン２８が設けられている。尚、上記ギャップＰＧは、高精度の記録を実行する上で極めて重要な要素になっており、用紙Ｐの厚さの変化等に応じて適宜調節されるようになっている。そして、キャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が実行される。
【００２９】
更に、用紙Ｐの搬送経路に従って、インクジェットプリンタ１００の他の構成について説明する。先ず最も搬送方向上流側には、上述の給送用トレイ５が設けられている。給送用トレイ５には、用紙Ｐの側端面に当接し、副走査方向Ｙへの円滑な用紙Ｐの搬送を案内するエッジガイド１５が設けられている。そして、給送用トレイ５上の用紙Ｐは給送用ローラ１４の回転軸１７の回転に伴って、ホッパ１６が所定のタイミングで上昇し、給送用ローラ１４に向けて押し上げられる。
【００３０】
尚、給送用トレイ５、給送用ローラ１４及びホッパ１６を含む装置が自動給送装置２であり、この自動給送装置２によって給送用トレイ５上に載置された最上面に位置する用紙Ｐは、給送用ローラ１４によってピックアップされ、給送用ローラ１４に対向するように設けられる分離作用部の一例である分離パッド７等の力を借りて最上位の一枚の用紙Ｐのみが搬送方向下流に向けて送られる。
【００３１】
給送用ローラ１４の下流には、用紙Ｐの通過を検出する被液体噴射材検出手段としての被記録材検出手段の一例である検出レバーが設けられている。また、検出レバーの下流には、搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支されている。また、このローラホルダ１８は、図示しない回動軸を中心に回動可能に設けられており、図示しないねじりコイルばねによって搬送用従動ローラ１９ｂが常に搬送用駆動ローラ１９ａに圧接したニップ状態が得られるように回動付勢されている。
【００３２】
そして、搬送用ローラ１９によって挟圧された状態で搬送される用紙Ｐは、記録ヘッド１３の下方の記録ポジション２６に導かれ、上述のキャリッジ１０と用紙Ｐの動作によって用紙Ｐの記録面のほぼ全面に亘って所望の記録が実行される。記録ヘッド１３の下流には、排出用駆動ローラ２０ａと、排出用従動ローラ２０ｂとによって構成される被液体噴射材排出手段の一例である排出用ローラ２０が設けられている。この排出用ローラ２０によって排出された用紙Ｐは、更に下流に位置する被液体噴射材受け部の一例である拡開状態の排出用スタッカ５０の載置面５１上に排出されるようになっている。
【００３３】
排出用従動ローラ２０ｂは、その外周に複数の歯を有する歯付きローラであり、排出用従動ローラ用の図示しないローラホルダによって自由回転可能に軸支されている。排出用従動ローラ２０ｂの上流には、補助従動ローラ２２が設けられ、用紙Ｐは該補助従動ローラ２２によってやや下方に押し付けられるようになっている。また搬送用従動ローラ１９ｂは、搬送用駆動ローラ１９ａよりその軸芯位置がやや下流側に配設されていて、更に排出用従動ローラ２０ｂは排出用駆動ローラ２０ａよりその軸芯位置がやや上流側に配設されている。
【００３４】
このような構成によって用紙Ｐは、搬送用ローラ１９と排出用ローラ２０との間において僅かに下に凸となる俗に「逆ぞり」と呼ばれている湾曲状態となり、記録ヘッド１３に対向する位置にある用紙Ｐは、プラテン２８に押し付けられ、用紙Ｐの浮き上がりが防止されて正常に記録が実行されるようになっている。尚、補助従動ローラ２２は、排出用従動ローラ２０ｂと同様に歯付きローラから構成されており、図示しない補助従動ローラ用のローラホルダに軸支されている。
【００３５】
［実施例］
次に、このようなインクジェットプリンタ１００に対して適用される本願発明に係るバッテリー装置１について説明する。図３は、バッテリー装置を分解して示す斜視図、図４はバッテリーパックの取り出し手順を段階的に示す斜視図である。尚、図示のバッテリー装置１は、図１に示すように格納状態の排出用スタッカ５０の近傍、右上部に一例として設けられている。
【００３６】
バッテリー装置１は、プリンタ本体３の前面の一部となり、開閉自在に設けられているバッテリー蓋８を拡開することによって視認できる。具体的には、バッテリー装置１は、プリンタ本体３に対して固定状態で設けられるバッテリーホルダ３０と、該バッテリーホルダ３０に対して着脱自在に設けられるバッテリーパック３１とを備えることによって構成されている。
【００３７】
バッテリーホルダ３０は、ホルダーベース３２と、ホルダーカバー３３とを一体に組み合わせ、その内部にバッテリーパック３１の収容スペース３４を形成したものである。尚、バッテリーホルダ３０は、射出成形等によって当初からホルダーベース３２とホルダーカバー３３を一体成形したものであってもよいし、熱溶着によるかしめやビス止め等によって別々に成形したホルダーベース３２とホルダーカバー３３を爾後において一体に組み立てるようにすることも勿論可能である。
【００３８】
ホルダーベース３２は、平板状の基板部３５の上下面に適宜補強リブ３６を立ち上げることによって形成されている。また、凹字形断面をした幅広な部分がバッテリーパック３１を収容する収容スペース３４を形成するための底板３７及び底板３７寄りの側板下部３８を構成している。底板３７の中央上面には、バッテリーパック３１の着脱方向に延びる係合リブ３９が設けられ、左右の側板下部３８の内面には、同じくバッテリーパック３１の着脱方向に延びるガイドリブ４０が設けられている。また、係合リブ３９の前端部前方の底板３７には、底板３７の一部を利用してロック機構４１が設けられている。
【００３９】
ロック機構４１は、バッテリーホルダ３０に装着したバッテリーパック３１の前方への不慮の飛び出しを防止するための機構である。具体的には、ロック機構４１は、底板３７に２本のスリットを形成することによって設けられる弾性舌片４２と、弾性舌片４２の先端において上方に突出するように設けられる係止爪４３とを備えることによって構成されている。また、ホルダーカバー３３は、収容スペース３４を形成するための天板４４及び天板４４寄りの側板上部４５を備えた幅広な門形断面をした略半筒状の部材である。
【００４０】
バッテリーパック３１は、図示しないバッテリーが直接内蔵されたバッテリー本体４６と、バッテリー本体４６の前面に設けられる操作フラップ４７とを備えることによって構成されている。バッテリー本体４６は、偏平な略直方体状の部材で、左右の側面下方には一例として３つずつ係合突起４８が設けられている。尚、この係合突起４８は、バッテリーホルダ３０側のガイドリブ４０と底板３７との間の空間に収容される。また図示は省略するが、バッテリー本体４６の底面中央には、バッテリーホルダ３０側の係合リブ３９と係合する係合溝が形成されており、上記係合突起４８とガイドリブ４０との係合作用と合わせて円滑なバッテリーパック３１の移動を可能にしている。
【００４１】
また、バッテリー本体４６の前面下部には、回動支点となる回動軸部４９が設けられている。尚、回動軸部４９自体は、バッテリー本体４６側、あるいは操作フラップ４７側のいずれに設けられている構成であっても構わない。また操作フラップ４７は、バッテリー本体４６の前面を覆い隠すことができる程度の大きさの翼板状の部材で、上記回動軸部４９を中心としてバッテリー本体４６の前面を覆う垂直な格納姿勢と、前方に水平に張り出した操作姿勢との間で回動し得るようになっている。
【００４２】
また、操作フラップ４７の基端側の中央部には、バッテリーホルダ３０における底板３７に形成されている係止爪４３に当接し、下方に押し下げることによってロック機構４１におけるロック状態を解除するカム作用部５５が設けられている。尚、カム作用部５５におけるカム高さは、操作フラップ４７を手前に回動させ、格納姿勢から操作姿勢に向けて移行することによって徐々に高くなるように設定されている。
【００４３】
この他、操作フラップ４７の近傍には、操作フラップ４７の位置を検出する位置センサ５６が設けられている。この位置センサ５６は、操作フラップ４７が格納姿勢に位置する時がＯＦＦ、それ以外に位置する時がＯＮになるように設定されており、位置センサ５６がＯＮの時、メモリ保護回路がＯＮになるようになっている。従って、電源ＯＮ時において不用意にバッテリーパック３１を取り出そうとしても、操作フラップ４７が格納姿勢から僅かに移動しただけでメモリ保護回路がＯＮになるため、バッテリーパック３１を取り出す前の段階でメモリ損失等の問題は未然に防止されているのである。
【００４４】
次に、図１及び図４に従ってバッテリーホルダ３０に格納された状態のバッテリーパック３１を取り出す場合の操作手順並びにその場合の作動態様について説明する。例えばバッテリーに蓄えられた電気量が少なくなり、新しいバッテリーに交換する場合や、バッテリーを充電するためにバッテリーパック３１を取り出す場合である。この場合には、図１に示すようにバッテリー蓋８を手前に拡開し、バッテリー装置１の操作フラップ４７を露出した状態にする。
【００４５】
次に、操作フラップ４７の自由端側の端面等（図示の実施例では指掛けリブ５７が設けれているから、この指掛けリブ５７）に指を掛けて操作フラップ４７を手前に倒して水平な操作姿勢にする（図４（ａ）、（ｂ）参照）。尚、この時操作フラップ４７の回動に伴ってロック機構４１における係止爪４３が下方に押し下げられるためロック機構４１のロック状態はカム作用部５５によって同時に解除される。
【００４６】
そして、操作フラップ４７を上下から指で摘んで図４（ｃ）に示すように手前に引き出して、バッテリーパック３１をバッテリーホルダ３０から取り出す。尚、操作フラップ４７が格納姿勢から僅かに回動したところで、位置センサ５６はＯＮになってメモリ保護回路をＯＮにするため、電源ＯＮの状態で不用意にバッテリーパック３１を取り出した場合であってもメモリ保護回路によってメモリは保護されており、メモリ損失等の問題は生じない。また操作フラップ４７を手前に倒して引っ張るだけの２アクションでバッテリーパック３１を取り出すことができるため、操作手順も少なくて済む。
【００４７】
［他の実施例］
本願発明に係る軸部のバッテリー装置１及びバッテリー装置１を備えた電子機器としての液体噴射装置の一例である記録装置（更にその一例であるインクジェットプリンタ）１００は、以上述べたような構成を基本とするものであるが、本願発明の要旨を逸脱しない範囲内の部分的構成の変更や省略等を行うことも勿論可能である。例えば、バッテリー装置１において使用されるバッテリーは、ニッカド、水素系等の充電対応の蓄電池に限らず、マンガン、アルカリ系の乾電池やカメラ等において多く使用されているリチウム系の電池等であっても構わない。
【００４８】
また、電子機器もインクジェットプリンタ１００に限らず、バッテリー装置１を備える種々の電子機器に適用可能である。また、図５に示すように操作フラップ４７には指掛けリブ５７を設けない構成とすることも可能であるし、ロック機構４１を操作フラップ４７側に設けられる係合突起５８と、係合突起５８と係合するホルダーベース３２側に設けられる係合穴５９によって構成することも可能である。因みに図５に示すロック機構４１では、操作フラップ４７が格納姿勢にある時に、係合突起５８が係合穴５９に嵌って係合状態（ロック状態）になり、操作フラップ４７が操作姿勢に移行することによって係合突起５８は水平になり、係合穴５９との係合状態（ロック状態）は解除される。この他、図示は省略するが操作フラップ４７は、水平方向に回動する構成のものであってもよいし、スライド式、着脱式等、格納姿勢と操作姿勢とを切り換えることのできる他の方式のものであっても構わない。また位置センサ５６は反射式、透過式等の非接触タイプのセンサの他、リミットスイッチのような接触式のセンサを使用することも可能である。
【図面の簡単な説明】
【００４９】
【図１】インクジェットプリンタの外観を示す斜視図である。
【図２】インクジェットプリンタの概略を示す側断面図である。
【図３】バッテリー装置を分解して示す斜視図である。
【図４】バッテリーパックの取り出し手順を段階的に示す斜視図である。
【図５】バッテリー装置の他の実施例を示す斜視図である。
【図６】従来のバッテリー装置を示す斜視図である。
【符号の説明】
【００５０】
１  バッテリー装置、２  自動給送装置、３  プリンタ本体（機器本体）、
４  係止部、５  給送用トレイ、７  分離パッド、８  バッテリー蓋、
１０  キャリッジ、１１  操作パネル、１２  キャリッジガイド軸、１３  記録ヘッド、１４  給送用ローラ、１５  エッジガイド、１６  ホッパ、１７  回転軸、
１８  ローラホルダ（搬送用従動ローラの）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用従動ローラ、２２  補助ギザローラ、
２６  記録ポジション、２８  プラテン、３０  バッテリーホルダ、
３１  バッテリーパック、３２  ホルダーベース、３３  ホルダーカバー、
３４  収容スペース、３５  基板部、３６  補強リブ、３７  底板、３８  側板下部、
３９  係合リブ、４０  ガイドリブ、４１  ロック機構、４２  弾性舌片、４３  係止爪、４４  天板、４５  側板上部、４６  バッテリー本体、４７  操作フラップ、
４８  係合突起、４９  回動軸部（回動支点）、５０  排出用スタッカ、５１  載置面、
５５  カム作用部、５６  位置センサ、５７  指掛けリブ、５８  係合突起、
５９  係合穴、１００  インクジェットプリンタ（記録装置、電子機器）、
Ｐ  用紙（被記録材）、ＰＧ  プラテンギャップ、Ｘ  主走査方向、Ｙ  副走査方向、
Ｃ  インクカートリッジ
【図１】
2006059662.tif 000003
【図２】
2006059662.tif 000004
【図３】
2006059662.tif 000005
【図４】
2006059662.tif 000006
【図５】
2006059662.tif 000007
【図６】
2006059662.tif 000008